(57)【特許請求の範囲】
【請求項１】
装置本体に調理容器が装着される回転調理器において、
前記装置本体の内部に枢支軸で枢支される枢支部と、
前記枢支部から延伸して前記装置本体の上方に突出する突出部と、
前記枢支軸周りの回動により前記装置本体内に設けたロック機構を駆動し、前記回転調理器の運転を可能にする操作部とを有する安全スイッチレバーを備え、
前記突出部は、上面に、頂部から前記装置本体の内部に向かって傾斜して延伸し、前記調理容器の部材が当接可能な傾斜部を有し、
前記頂部は、隣接する２つの凸部を有し、
前記２つの凸部は、前記調理容器を未装着のときに、前記枢支部側の方が低く、前記調理容器を正しく装着したときに、２つが略同じ高さになり、
前記調理容器の部材は、前記調理容器を正しく装着したときに、前記２つの凸部の間に当接することを特徴とする回転調理器の安全スイッチの構造。
【請求項２】
前記傾斜部は、前記頂部から前記枢支部に向かって延伸していることを特徴とする請求項１に記載の回転調理器の安全スイッチの構造。
【請求項３】
前記調理容器は、前記装置本体にバヨネットで装着され、
前記枢支部は、前記装置本体に装着するための前記調理容器の回転方向の上流側に配置されていることを特徴とする請求項２に記載の回転調理器の安全スイッチの構造。
【請求項４】
前記調理容器には蓋体が装着され、
前記調理容器の部材は、前記蓋体によって押下されて突出する操作ピンであることを特徴とする請求項１から３のいずれかに記載の回転調理器の安全スイッチの構造。
【発明の詳細な説明】
【技術分野】
【０００１】
本発明は、ジューサやミキサなどの回転調理器の安全スイッチの構造に関する。
【背景技術】
【０００２】
特許文献１に記載されているように、従来の回転調理器の安全スイッチは、装置本体から垂直に突出し、装置本体に調理容器を装着することで押下されるピン状のものが用いられている。
【０００３】
調理容器をバヨネットで固定する回転調理器においては、調理容器を装置本体に押し付けた状態で水平に回転させて装着する場合がある。その場合にも、ピン状の安全スイッチをスムーズに押下できるようにするには、調理容器の安全スイッチを押下する部分を回転方向に長いものにするか、回転により安全スイッチを押下できるような圧力角を形成する傾斜を有するものにすればよい。しかしながら、そのような構造では、調理容器の取り付けが不完全な状態でも安全スイッチが押下されてモータが起動されてしまう危険性がある。調理容器の適正な取付角度を検出できるように、小さな突起で安全スイッチを押下するようにすると、十分な圧力角を取ることができず、安全スイッチの動作がスムーズ行えなくなったり、ピン状の安全スイッチに水平方向の力が作用して変形や破損を起こすおそれもあった。
【特許文献１】特開２００４−３３７５２４号公報
【発明の開示】
【発明が解決しようとする課題】
【０００４】
そこで、本発明は、調理容器を水平方向に回転することによっても、スムーズに押下できる回転調理器の安全スイッチの構造を提供することを課題とする。
【課題を解決するための手段】
【０００５】
前記課題を解決するために、本発明による回転調理器の安全スイッチの構造は、調理容器が装着される装置本体に設けられ、前記装置本体の内部に枢支軸で枢支される枢支部と、前記枢支部から延伸して前記装置本体の上方に突出する突出部と、前記枢支軸周りの回動により前記装置本体内に設けたロック機構を駆動し、前記回転調理器の運転を可能にする操作部とを有する安全スイッチレバーを備え、前記突出部は、上面に、頂部から前記装置本体の内部に向かって傾斜して延伸し、前記調理容器の部材が当接可能な傾斜部を有し、前記頂部は、隣接する２つの凸部を有し、前記２つの凸部は、前記調理容器を未装着のときに、前記枢支部側の方が低く、前記調理容器を正しく装着したときに、２つが略同じ高さになり、前記調理容器の部材は、前記調理容器を正しく装着したときに前記２つの凸部の間に当接するものとする。
【０００６】
この構成によれば、調理容器を回転しながら装置本体に装着したとき、調理容器の部材が傾斜部を摺動しながら徐々に安全スイッチレバーを押下するので、安全スイッチレバーに大きな負荷が加わらず、安全スイッチがスムーズに動作する。また、調理容器が２つの凸部の間に当接することで、安全スイッチレバーの反力が調理容器の突起に対して垂直方向に作用し、調理容器の部材を大きく撓ませることがなく、調理容器の部材の変形や破損がない。
【０００７】
また、本発明による回転調理器の安全スイッチの構造において、前記傾斜部は、前記頂部から前記枢支部に向かって延伸していてもよい。
【０００８】
この構成によれば、頂部の上下方向のストロークを確保するために必要な回動半径を、傾斜部の傾斜を小さくするために必要な水平距離に充てることができるので、別々に水平方向の寸法を増加させる必要がなく、安全スイッチを大型化させない。
【０００９】
また、本発明による回転調理器の安全スイッチの構造において、前記調理容器は、前記装置本体にバヨネットで装着され、前記枢支部は、前記装置本体に装着するための前記調理容器の回転方向の上流側に配置されていてもよい。
【００１０】
この構成によれば、調理容器の突起は頂部の上流側にしか当接しないので、傾斜部を一方向に設けるだけでよく、安全スイッチレバーを小さくでき、さらにスムーズに安全スイッチレバーを押下することができる。
【００１１】
また、本発明による回転調理器の安全スイッチの構造において、前記調理容器には蓋体が装着され、前記調理容器の部材は、前記蓋体によって押下されて突出する操作ピンであってもよい。
【発明の効果】
【００１５】
本発明によれば、安全スイッチレバーに調理容器の水平方向の回転力によって安全スイッチレバーを垂直に押下できる圧力角を形成する傾斜部を設けたので、調理容器を装置本体に押し付けながら回転させて装着しても、安全スイッチが適切に作動する。
【発明を実施するための最良の形態】
【００１６】
これより、本発明の実施形態について、図面を参照しながら説明する。
図１に、本発明の第１実施形態である回転調理器の安全スイッチの構造を有するジューサ１を示す。ジューサ１は、装置本体２の上に、区画容器３、仕切り板４、蓋体５および外装カバー６からなる調理容器が装着される。区画容器３は、矢印Ｒ方向に回転することでバヨネット７によって装置本体２に固定できるようになっている。また、底部に平面状のカッタを有する逆円錐台状の回転フィルタ８が、装置本体２に内蔵するモータにより回転可能な回転継手９に接続されて、調理容器の中に支持される。
【００１７】
装置本体２上部には、安全スイッチレバー１０が設けられており、安全スイッチレバー１０を押下すると、操作ボタン１１を押し込んでジューサ１を動作させることができるようになっている。安全スイッチレバー１０は、区画容器３が保持する操作ピン１２を、外装カバー６によって蓋体５の突起１３を介して押下することで駆動されるようになっている。
【００１８】
図２に、ジューサ１の断面を示す。安全スイッチレバー１０は、操作ボタン１１のロック機構の一部を構成するロック解除レバー１４を押下するようになっている。ロック解除レバー１４は、上向きに付勢されており、通常、安全スイッチレバー１０を押し上げるとともに、操作ボタン１１を操作不能にロックするが、安全スイッチレバー１０により押下されると、操作ボタン１１のロックを解除してジューサ１の運転を可能にするようになっている。
【００１９】
図３に、安全スイッチの構造をさらに詳しく示す。安全スイッチレバー１０は、バヨネット７により装置本体２に装着するための区画容器３の回転Ｒ方向の上流側に位置する枢支軸１５によって枢支されたた枢支部１６と、枢支部１６からＲ方向下流側に延伸して装置本体２の開口から上部に突出する突出部１７と、突出部１７の先端に形成され、安全スイッチレバー１０の枢支軸１５周りの回動によりロック解除レバー１４を押下する操作部１８とからなっている。
【００２０】
突出部１７は、概略「く」の字型に形成されており、上面が、屈曲点である頂部１９から装置本体２の内部にある枢支部１６に向かって傾斜して延伸する傾斜部２０と、頂部１９から装置本体２の内部にある操作部１８に向かって延伸する延伸部２１とからなっている。
【００２１】
さらに詳しくいうと、頂部１９は、枢支部１６側に凸形状をなす第１凸部２２と、第１凸部２２の操作部１８側に隣接して凸形状をなす第２凸部２３とを有する。
【００２２】
図３は、装置本体２に区画容器２をバヨネット７で装着し、外装カバー６を装着していない状態を示しているが、このとき、第１凸部２２は、第２凸部２３より低くなるように形成されている。
【００２３】
区画容器３を蓋体５で閉塞してから外装カバー６を装着すると、蓋体５の突起１３を介して区画容器３の操作ピン１２が押下され、安全スイッチレバー１０の第２凸部２３に当接して、枢支軸１５を中心に安全スイッチレバー１０を回動させる。安全スイッチレバー１０は、傾斜部２０の傾斜が小さくなる方向に回動するので、第２凸部２３は水平方向に枢支軸１５から遠ざかる方向に移動する。
【００２４】
外装カバー６を押し下げて装置本体２に完全に装着すると、図４に示すように、安全スイッチレバー１０は、第１凸部２２と第２凸部２３とが略同じ高さになり、操作ピン１２が第１凸部２２と第２凸部２３との略中央に位置する。
【００２５】
ロック解除レバー１４の付勢力による安全スイッチレバー１０の上向きの反力は、頂部１９の傾斜によって、操作ピン１２の先端を横方向に撓ませるように作用するが、操作ピン１２の先端を第１凸部２２と第２凸部２３との間に当接させているので、安全スイッチレバー１０の反力は、操作ピン１２の先端を挟み込み、第１凸部２２と第２凸部２３との中央に位置決めするように作用する。つまり、頂部１９に第１凸部２２と第２凸部２３とを設けたことで、安全スイッチレバー１０が操作ピン１２を大きく撓ませることがなく、操作ピン１２の変形や破損がない。
【００２６】
さらに、図５および図６に、区画容器３を、蓋体５で閉塞した状態で、Ｒ方向に回転させてバヨネット７で固定する場合の安全スイッチの動作を示す。
【００２７】
図５に示すように、Ｒ方向上流側において、操作ピン１２は、先端が安全スイッチレバー１０の頂部１９より低く、装置本体２の上面に近接するように押下された後、Ｒ方向に回動させられる。
【００２８】
区画容器３の回動により、操作ピン１２は、Ｒ方向に移動して、先端を安全スイッチレバー１０の傾斜部２０に当接させる。図６に示すように、操作ピン１２がさらにＲ方向に移動すると、傾斜部２０の傾斜が圧力角となって、安全スイッチレバー１０を枢支軸１５を中心に回動させるように押し下げる。
【００２９】
区画容器３が正規の装着位置に達すると、図４に示すように、操作ピン１２が安全スイッチレバー１０の頂部１９に当接して、ロック解除レバー１４を押下する。
【００３０】
また、図７に示す本発明の第２実施形態のように、安全スイッチレバー１０の枢支部１６を操作ピン１２の移動Ｒ方向後側に設ける必要があるとき、傾斜部２０は、頂部１９から枢支部１６と反対側に延伸するように設けてもよい。
【００３１】
さらに、図８に示す本発明の第３実施形態のように、安全スイッチレバー１０の頂部１９の両側に、本体２の内部に向かって傾斜して延伸する傾斜部２０をそれぞれ設けてもよい。これによって、区画容器３の装着方向がＲ方向および逆向きのＲ’方向のいずれであっても、安全スイッチレバー１０をスムーズに回動させて、操作ボタン１１のロックを解除できる。また、傾斜部２０は、本体２の表面の高さにおいて水平移動する操作ピン１２が摺接したときに安全スイッチレバー１０をスムーズに回動できるような一定の傾斜を呈するように、曲面に形成してもよい。
【００３２】
また、図９に示す本発明の第４実施形態のように、操作部１８は、必ずしも、安全スイッチレバー１０の枢支部１６と反対側の端部に設けなくてもよく、図１０に示す本発明の第５実施形態のように、頂部１９よりも水平方向に枢支軸１５寄りに設けてもよい。さらに、ロック解除レバー１４が逆動作であり、引き上げられることで操作ボタン１１のロックを解除する場合、図１１に示す本発明の第６実施形態のように、操作部１８を枢支部１６から突出部１７の反対側に突出して設けるとよい。
【図面の簡単な説明】
【００３３】
【図１】本発明の第１実施形態の安全スイッチを有するジューサの分解斜視図。
【図２】図１のジューサの断面図。
【図３】図１のジューサにおいて蓋体が未閉塞のときの安全スイッチの詳細図。
【図４】図１のジューサにおいて調理容器を正しく装着したときの安全スイッチの詳細図。
【図５】図１のジューサにおいて調理容器の回転位置がずれているときの安全スイッチの詳細図。
【図６】図１のジューサにおいて調理容器を回転中の安全スイッチの詳細図。
【図７】本発明の第２実施形態の安全スイッチの詳細図。
【図８】本発明の第３実施形態の安全スイッチの詳細図。
【図９】本発明の第４実施形態の安全スイッチの詳細図。
【図１０】本発明の第５実施形態の安全スイッチの詳細図。
【図１１】本発明の第６実施形態の安全スイッチの詳細図。
【符号の説明】
【００３４】
１  ジューサ（回転調理器）
２  装置本体
３  区画容器（調理容器）
５  蓋体（調理容器）
６  外装カバー（調理容器）
７  バヨネット
８  回転フィルタ
１０  安全スイッチレバー
１２  操作ピン
１４  ロック解除レバー（ロック機構）
１５  枢支軸
１６  枢支部
１７  突出部
１８  操作部
１９  頂部
２０  傾斜部
２１  延伸部
２２  第１凸部
２３  第２凸部
【図１】
0004745120.tif 000002
【図２】
0004745120.tif 000003
【図３】
0004745120.tif 000004
【図４】
0004745120.tif 000005
【図５】
0004745120.tif 000006
【図６】
0004745120.tif 000007
【図７】
0004745120.tif 000008
【図８】
0004745120.tif 000009
【図９】
0004745120.tif 000010
【図１０】
0004745120.tif 000011
【図１１】
0004745120.tif 000012